(57)【要約】ハンドル付きの伸縮性ストラップが取り付けられたスリーブ付き胸部ハーネスを具える運動およびトレーニング器具。【選択図】図１
2021502213.tif 000002
【特許請求の範囲】
【請求項１】
ユーザのための運動器具であって、
胸ハーネスと、
ユーザの肩及び隣接する脇の下の周りに配置可能な第１のスリーブと、
ユーザの他方の肩及び他方の脇の下の周りに配置可能な第２のスリーブと、
前記第１スリーブの後部と前記第２スリーブの後部とをユーザの背中の後側で結合する背部支持体と、
第１の伸縮性ストラップと、
を具えており、前記第１の伸縮性ストラップが、
前記ハーネスに取り付けられた第１の部分と、
前記第１のストラップの前記第１の部分から離れて前記第１のストラップに配置された第１のハンドルと、を具えることを特徴とする器具。
【請求項２】
請求項１に記載の器具において、
さらに、第２の伸縮性ストラップを具えており、前記第２の伸縮性ストラップが、
前記ハーネスに取り付けられた第１の部分と、
前記第２のストラップの前記第１の部分から離れて前記第２のストラップに配置され、ユーザが前記第１のハンドルを片手で保持し、前記第２のハンドルを別の手で保持できるようにする第２のハンドルと、
を具えることを特徴とする器具。
【請求項３】
請求項１に記載の器具において、さらに、前記背部支持体が、ユーザの背中に対して配置可能な背部支持板を具えることを特徴とする器具。
【請求項４】
請求項１に記載の器具において、前記第１の部分が、前記ハーネスに取り外し可能に取り付けられることを特徴とする器具。
【請求項５】
請求項１に記載の器具において、前記第１のストラップの前記第１の部分が、前記第１のスリーブの前部に取り付けられていることを特徴とする器具。
【請求項６】
請求項１に記載の器具において、
さらに、前記第１のストラップが、前記ハーネスに取り付けられた第２の部分を具えており、
前記第１のハンドルが、前記第１のストラップの前記第２の部分から離れて前記第１のストラップに配置されていることを特徴とする器具。
【請求項７】
請求項１に記載の器具において、前記第１のストラップが弾性バンドを具えることを特徴とする器具。
【請求項８】
請求項１に記載の器具において、前記第１のストラップがループ形状であることを特徴とする器具。
【請求項９】
請求項１に記載の器具において、前記第１の部分が、前記ハーネスの少なくとも１つの開口部に前記第１の部分を通すことによって、前記ハーネスに取り付けられることを特徴とする器具。
【請求項１０】
請求項１に記載の器具において、前記第１のハンドルが前記第１のストラップに移動可能に配置されることを特徴とする器具。
【請求項１１】
請求項１に記載の器具において、前記第１のストラップの前記第１の部分が、前記背部支持体に取り付けられていることを特徴とする器具。
【請求項１２】
請求項１に記載の器具において、さらに、ユーザの正面で前記第２のスリーブに前記第１のスリーブを結合する前部胸ストラップを具えることを特徴とする器具。
【請求項１３】
請求項１に記載の器具において、前記ハーネスが姿勢矯正用であることを特徴とする器具。
【請求項１４】
ユーザのための運動器具であって、
胸ハーネスであって、
ユーザの肩及び隣接する脇の下の周りに配置可能な第１のスリーブと、
ユーザの他方の肩及び他方の脇の下の周りに配置可能な第２のスリーブと、
前記第１スリーブの後部と前記第２スリーブの後部とをユーザの背中の後側で結合する背部支持体と、
を具えた胸ハーネスと、
前記ハーネスに通された第１の伸縮性ストラップであって、前記ハーネスから離れて前記第１のストラップに配置された第１のハンドルを具える第１の伸縮性ストラップと、
を具えることを特徴とする器具。
【請求項１５】
請求項１４に記載の器具において、さらに、前記第１のハンドルから離れて且つ前記ハーネスから離れて前記第１のストラップに配置された第２のハンドルを具えることを特徴とする器具。
【請求項１６】
請求項１４に記載の器具において、前記第１のストラップがループ形状であることを特徴とする器具。
【請求項１７】
請求項１４に記載の器具において、前記第１のハンドルが、前記第１のストラップに移動可能に配置されることを特徴とする器具。
【請求項１８】
請求項１４に記載の器具において、さらに、前記背部支持体が、ユーザの背中に対して配置可能な背部支持板を具えることを特徴とする器具。
【請求項１９】
請求項１４に記載の器具において、前記ハーネスが姿勢矯正用であることを特徴とする器具。
【請求項２０】
請求項１４に記載の器具において、さらに、前記第１のスリーブをユーザの正面で前記第２のスリーブと結合する前部胸ストラップを具えることを特徴とする器具。
【発明の詳細な説明】
【技術分野】
【０００１】
本出願は、２０１７年１１月９日に提出された米国仮出願第６２／７０７，５７６号の３５ＵＳＣ１１９（ｅ）に基づく利益を主張し、その全体を参照により本明細書に組み込まれる。これは、２０１８年１１月８日に提出された米国特許出願第１６／１８４，８７２号の継続出願であり、その全体が参照により本明細書に組み込まれる。
【０００２】
本発明は、運動器具、カーディオトレーニング、スポーツトレーニング（例えば、ボクシング）のための器具、筋力を増強するための器具、並びに類似の器具及び方法に関する。
【背景技術】
【０００３】
様々な運動のための伸縮性の弾性バンドの使用が、当技術分野で知られている。
【発明の概要】
【０００４】
いくつかの実施形態は、姿勢矯正用の肩または胸部ハーネス、運動エネルギに基づく低衝撃抵抗運動のための装着可能で交換可能な抵抗ストラップまたはバンド（Thera-Bandsなど）、および心臓監視システム又はシステムの組み合わせを提供する。
【０００５】
例示的な実施形態は、ユーザの肩及び隣接する脇の下の周りに配置可能な第１のスリーブと、ユーザの他方の肩及び他方の脇の下の周りに配置可能な第２のスリーブと、前記第１スリーブの後部と前記第２スリーブの後部とをユーザの背中の後側で結合する背部支持体と、第１の伸縮性ストラップであって、前記ハーネスに取り付けられた第１の部分と、前記第１のストラップの前記第１の部分から離れて前記第１のストラップに配置された第１のハンドルとを具える第１の伸縮性ストラップと、を具える姿勢修正ショルダーハーネスを具える。
【０００６】
別の例示的な実施形態が、ユーザの肩及び隣接する脇の下の周りに配置可能な第１のスリーブと、ユーザの他方の肩及び他方の脇の下の周りに配置可能な第２のスリーブと、前記第１スリーブの後部と前記第２スリーブの後部とをユーザの背中の後側で結合する背部支持体と、前記ハーネスに通された第１の伸縮性ストラップであって、前記ハーネスから離れて前記第１のストラップに配置された第１のハンドルを具える第１の伸縮性ストラップと、を具える胸ハーネスを具える。
【０００７】
いくつかの実施形態が、さらに、第２の伸縮性ストラップを具えており、前記第２の伸縮性ストラップが、前記ハーネスに取り付けられた第１の部分と、前記第２のストラップの前記第１の部分から離れて前記第２のストラップに配置され、ユーザが前記第１のハンドルを片手で保持し、前記第２のハンドルを別の手で保持できるようにする第２のハンドルと、を具える。
【０００８】
いくつかの実施形態では、さらに、前記背部支持体が、ユーザの背中に対して配置可能な背部支持板を具える。
【０００９】
いくつかの実施形態では、前記第１の部分が、前記ハーネスに取り外し可能に取り付けられる。
【００１０】
いくつかの実施形態では、前記第１のストラップの前記第１の部分が、前記第１のスリーブの前部に取り付けられている。
【００１１】
いくつかの実施形態では、さらに、前記第１のストラップが、前記ハーネスに取り付けられた第２の部分を具えており、前記第１のハンドルが、前記第１のストラップの前記第２の部分から離れて前記第１のストラップに配置されている。
【００１２】
いくつかの実施形態では、前記第１のストラップが弾性バンドを具える。
【００１３】
いくつかの実施形態では、前記第１のストラップがループ形状である。
【００１４】
いくつかの実施形態では、前記第１の部分が、前記ハーネスの少なくとも１つの開口部に前記第１の部分を通すことによって、前記ハーネスに取り付けられる。
【００１５】
いくつかの実施形態では、前記第１のハンドルが前記第１のストラップに移動可能に配置される。
【００１６】
いくつかの実施形態では、前記第１のストラップの前記第１の部分が、前記背部支持体に取り付けられている。
【００１７】
いくつかの実施形態では、さらに、前記第１のハンドルから離れて且つ前記ハーネスから離れて前記第１のストラップに配置された第２のハンドルを具える。
【００１８】
いくつかの実施形態では、さらに、ユーザの正面で前記第２のスリーブに前記第１のスリーブを結合する前部胸ストラップを具える。
【００１９】
いくつかの実施形態では、前記ハーネスが姿勢矯正用である。
【００２０】
部品の構造および組み合わせの様々な新規の詳細、ならびに他の利点を含む本発明の上記および他の態様は、添付の図面を参照してより具体的に説明され、特許請求の範囲で指摘される。本発明を具体化する特定の方法および装置は、本発明を限定するものとしてではなく、例示として示されていることが理解されよう。本発明の原理および態様は、本発明の範囲から逸脱することなく、様々な多数の実施形態で使用することができる。
【図面の簡単な説明】
【００２１】
添付の図面において、参照文字は、異なる図を通して同じ部品を指す。図面は必ずしも縮尺通りではない。代わりに、本発明の原理を説明することに重点が置かれている。
【００２２】
図面のうち：
【図１】図１は、本発明の実施形態の正面図を示す。
【図２】図２は、本発明の実施形態の背面図を示す。
【００２３】
図面のすべての図は、本発明の選択されたバージョンを説明するためのものであり、本発明の範囲を限定することを意図したものではない。
【発明を実施するための形態】
【００２４】
図１に示す実施形態は、スポーツトレーニング（ボクシングトレーニングを含む）、カーディオエクササイズ、および筋肉増強の器具であり、バンドまたはストラップ1、2、３、４を具え、（バックサポート１９を組み込んだ）肩および姿勢のハーネスまたはベスト７を含み、Thera-Band技術を使用したものを含む、利用可能な伸縮性または弾性バンド、ストリップ、またはコードを含んでいる。ストラップ１、２、３、４は２つの状態または位置、すなわち、ハーネス７に近い後退／休止位置と、ハーネス７から離れた伸長／パンチ位置で示されており、差は、（２つの状態または位置でも示す）ハンドル５、６を介してストラップに多少の張力または伸長が適用されることである。ハンドル５、６は、場合により柔らかい材料で作られる。ハンドル５、６は、伸長力に対するストラップの弾性抵抗に抗して（例えば、パンチ動作またはプッシュ動作で）腕を伸ばすことにより、腕を動かしたりトレーニングするユーザによって保持または把持される。
【００２５】
ストラップ１、２は、ハンドル５の穴に通される１つの連続したストラップである。このようなハンドル５は、ストラップ上をスライドする。ストラップ３、４及びハンドル６についても同様である。
【００２６】
ストラップ１は、ハーネス７の片側の位置８、９（同じ場所でも、選択的に上下に位置してもよい）でハーネス７に接続、固定、縫着、または取り付けでき、２つの抵抗ポイントを与える。ストラップ１、２は、ユーザの肩領域又は内側の副三角筋及び外側の胸筋の外側でハーネス７に接続される。位置８は、肩又は外側僧帽筋に乗っている三角筋の上方又は上にある。位置９は、外側の層筋及び広背筋に乗っている腕及び腕の下方／下にある。
【００２７】
場所８、９の接続は永続的であるか、又はクリップもしくはバックルによって形成され（例えば、パラシュート品質のスナップバックルを含み、バックルのオス部分がストラップに取り付けられ、バックルのメス部分がハーネス７に取り付けられて、器具の強度を高め、その長期的な性能と耐久性を提供する）、これにより、ユーザはストラップ１、２を取り付け及び再取り付けし、ストラップ１、２を、ユーザの筋力又は運動の欲求もしくはニーズに応じて異なる張力、伸長抵抗又は弾性（たとえば、軽い、中程度、重い）を有する交換可能なストラップに交換できる。
【００２８】
代替的に、ストラップ１、２は、ハーネスに通すことで接続でき、この場合、それらは、ループ形状である１つの連続ストラップを形成し、その結果、ハンドル５は、このループ形状のストラップ上をスライドする。ストラップ３、４、ハンドル６、位置１０、１１についても同様である。
【００２９】
ユーザは、胸の高さ付近にあるストラップに配置されたハンドル5、6をつかんで、ユーザが腕を伸ばしてパンチの動きを終えるときに、手と腕のそれぞれが、手を回したり、手の上で転がしたりすることによって、コルクスクリューの動きを実行し、交互にボクシングモーションまたはパンチングを実行する。この動きは、ボクシングのより効率的で強力な仕上げパンチのために開発された。
【００３０】
いくつかの実施形態は、片腕の運動用のハーネスの左側のみ又は右側のみにハンドルを備えたストラップ又は複数のストラップを含んでいる。
【００３１】
代替的に、第２のストラップ２なしの単一のストラップ１が、位置８の一端によってハーネス７に取り付けられ、ハンドル５が、ストラップ１の反対側の端又はその近くでストラップ１に取り付けられる。
【００３２】
ハーネス７の背部支持体１９の場合により中心にある背部支持板１６は、ユーザがどちらかの側のストラップを引っ張っている間、より強い強度と安定性を与えることにより張力を支持する。
【００３３】
図２は、ストラップ４４、４５がバックル４２、４３を用いてハーネス４０の背部支持体４１に取り付けられている実施形態の背面図を示している。各ストラップは、上述のように一対のストラップで置き換えることができる。
【００３４】
代替的に、ストラップ４４、４５は、ハーネス４０の（例えば、その背部支持体４１を通る）貫通穴に通される１つの連続ストラップを形成する。
【００３５】
代替的に、ハーネス４０の（例えば、その背部支持部４１を通る）穴には、ループの半分が右側、もう半分が左側にあり、２つのハンドルがこのループ型ストラップにスライド可能に配置される連続ループの形状のストラップが通される。
【００３６】
ハーネス７はスライドして（ユーザの肩の周りと脇の下にフィットするスリーブ１７、１８を使用して）ユーザの肩に乗り、ユーザの下部胸腔の周りに固定する上部胸ベルト又はユーザの正面でスリーブをつなぐ前部胸ストラップを含む。
【００３７】
本器具は、胸部ベルトの縁の内張りに、および／または好ましくは心臓および／または脈拍を読み取るために腋窩および上腕動脈に近い肩ストラップに埋め込まれた心臓センサを有する電池式心臓監視システムを含んでいる。これらのセンサは、ユーザがランニング及び／又はエクササイズをしている間、ユーザの心拍数を取得して監視する。この心臓監視システムは、胸部ストラップまたはクリップの中央にＬＥＤ読み出しバッジまたはディスプレイボックスを含み、心拍数の数値を表示し、ユーザの心拍数と同期して点滅するＬＥＤの点滅を含んでいる。心臓のモニタリングに使用される電池、センサ、ＬＥＤバッジ、またはディスプレイボックスは、変更可能および／または交換可能である。
【００３８】
ハーネスは、ウォーターポーチまたはウォーターホールドシステム（例えば、キャメルパック）に接続されたオスのクリップまたはスナップバックル用のハーネスのメスのレセプタを介して取り付け可能なさまざまな器具または部品に対応しており、ウォーター容器を背中に着用している間、取り付けられたストローにより飲むことができる。
【００３９】
ハーネスおよび／または背部支持板１６は、ミニバックパック、ＬＥＤライト、電話または音楽プレーヤーのホルダー、追加のウェイト等といった、様々なアタッチメントのサポートも提供する。
【００４０】
反射テープまたはＬＥＤライトまたはストリップは、器具を特に視覚的な安全対策のために夜間に屋外で使用する場合のユーザの安全のためにハーネスに取り付けることができる。
【００４１】
ポケットや及びポーチ（おそらくスパンデックスでできている）をハーネスに取り付けて、ユーザが電話、キー、財布、またはその他の小さなアイテム、器具、および運動、ランニング、またはウォーキング中に必要または使用する必需品を保管できるようにすることができる。
【００４２】
ユーザがストラップを長めまたは短めのストラップに交換した場合、ストラップが緩すぎたり、緩んだり、又はきつすぎたり、抵抗が強すぎたりすることがある。いくつかの実施形態は、上部および／または下部ショルダーストラップのための追加のストラップバックルまたはフックを含んでいる。これらの追加のストラップのバックルまたはフックにより、ユーザはハーネスの両側のストラップを調整できる。フックやバックルの位置を変えることにより、ワークアウト時のより完璧なフィット感のために、ユーザはストラップを上に動かして締めたり、下ろして緩めたりし得る。
【００４３】
いくつかの実施形態は、ハーネスの肩、背中、およびストラップに追加のパッドまたはゴムを含んでおり、性能および耐久性および／または美的外観のために必要な場合、より快適性、強さ、および剛性を提供する。
【００４４】
本器具は、快適さと安定性のためにフォームの裏地が付いた薄いネオプレン素材の上に、様々な色の軽量で通気性のある弾性ナイロンを利用できる。
【００４５】
本発明をその好ましい実施形態に関連して説明してきたが、以下に請求する本発明の精神および範囲から逸脱することなく、他の多くの可能な修正および変更を行うことができることに留意されたい。本発明は、その好ましい実施形態を参照して特に示され説明されてきたが、添付の特許請求の範囲に含まれる本発明の範囲から逸脱することなく、形態および詳細に様々な変更を加えることができることが当業者には理解されよう。
【図１】
2021502213.tif 000003
【図２】
2021502213.tif 000004
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
ユーザのための運動器具であって、
胸ハーネスと、
ユーザの肩及び隣接する脇の下の周りに配置可能な第１のスリーブと、
ユーザの他方の肩及び他方の脇の下の周りに配置可能な第２のスリーブと、
前記第１スリーブの後部と前記第２スリーブの後部とをユーザの背中の後側で結合する背部支持体と、
第１の伸縮性ストラップと、
を具えており、前記第１の伸縮性ストラップが、
前記ハーネスに取り付けられた第１の部分と、
前記第１のストラップの前記第１の部分から離れて前記第１のストラップに配置された第１のハンドルと、を具えており、
前記第１のストラップが、さらに、前記ハーネスに取り付けられた第２の部分を具えており、
前記第１のハンドルが、前記第１のストラップの前記第１の部分と前記第１のストラップの前記第２の部分との間の前記第１のストラップに配置されていることを特徴とする器具。
【請求項２】
請求項１に記載の器具において、
さらに、第２の伸縮性ストラップを具えており、前記第２の伸縮性ストラップが、
前記ハーネスに取り付けられた第１の部分と、
前記第２のストラップの前記第１の部分から離れて前記第２のストラップに配置され、ユーザが前記第１のハンドルを片手で保持し、前記第２のハンドルを別の手で保持できるようにする第２のハンドルと、
を具えることを特徴とする器具。
【請求項３】
請求項１に記載の器具において、さらに、前記背部支持体が、ユーザの背中に対して配置可能な背部支持板を具えることを特徴とする器具。
【請求項４】
請求項１に記載の器具において、前記第１の部分が、前記ハーネスに取り外し可能に取り付けられることを特徴とする器具。
【請求項５】
請求項１に記載の器具において、前記第１のストラップの前記第１の部分が、前記第１のスリーブの前部に取り付けられていることを特徴とする器具。
【請求項６】
請求項１に記載の器具において、前記第１のストラップが弾性バンドを具えることを特徴とする器具。
【請求項７】
請求項１に記載の器具において、前記第１のストラップがループ形状であることを特徴とする器具。
【請求項８】
請求項１に記載の器具において、前記第１の部分が、前記ハーネスの少なくとも１つの開口部に前記第１の部分を通すことによって、前記ハーネスに取り付けられることを特徴とする器具。
【請求項９】
請求項１に記載の器具において、前記第１のハンドルが前記第１のストラップに移動可能に配置されることを特徴とする器具。
【請求項１０】
請求項１に記載の器具において、前記第１のストラップの前記第１の部分が、前記背部支持体に取り付けられていることを特徴とする器具。
【請求項１１】
請求項１に記載の器具において、さらに、ユーザの正面で前記第２のスリーブに前記第１のスリーブを結合する前部胸ストラップを具えることを特徴とする器具。
【請求項１２】
請求項１に記載の器具において、前記ハーネスが姿勢矯正用であることを特徴とする器具。
【請求項１３】
ユーザのための運動器具であって、
胸ハーネスであって、
ユーザの肩及び隣接する脇の下の周りに配置可能な第１のスリーブと、
ユーザの他方の肩及び他方の脇の下の周りに配置可能な第２のスリーブと、
前記第１スリーブの後部と前記第２スリーブの後部とをユーザの背中の後側で結合する背部支持体と、
を具えた胸ハーネスと、
前記ハーネスに通された第１の伸縮性のループ形状のストラップであって、
前記ハーネスから離れて前記第１のストラップに配置された第１のハンドルと、
前記第１のハンドルから離れて且つ前記ハーネスから離れて前記第１のストラップに配置された第２のハンドルと、を具える第１の伸縮性のループ形状のストラップと、
を具えることを特徴とする器具。
【請求項１４】
請求項１３に記載の器具において、前記第１のハンドルが、前記第１のストラップに移動可能に配置されることを特徴とする器具。
【請求項１５】
請求項１３に記載の器具において、さらに、前記背部支持体が、ユーザの背中に対して配置可能な背部支持板を具えることを特徴とする器具。
【請求項１６】
請求項１３に記載の器具において、前記ハーネスが姿勢矯正用であることを特徴とする器具。
【請求項１７】
請求項１３に記載の器具において、さらに、前記第１のスリーブをユーザの正面で前記第２のスリーブと結合する前部胸部ストラップを具えることを特徴とする器具。
【国際調査報告】
2021502213.tif 000005